(57)【要約】【課題】小型で軽量化しながらケースを強靭な構造にする。【解決手段】パック電池は、複数の二次電池１をプラスチック製のインナーケース３に収納してインナーパック４とし、このインナーパック４の両側面を金属シャーシー１６でカバーして補強してプラスチック製のアウタース５に収納している。インナーケース３は、側面プレート３ｄを分割して上下のケースユニット３Ａに分割している。金属シャーシー１６は、インナーパック４の両側面をカバーする２枚の金属板で、断面形状をコ字状として上下縁にケースユニット３Ａの天板３ａと底板３ｂに係止構造で連結される連結片３３を突出して設けている。パック電池は、金属シャーシー１６の連結片３３をケースユニット３Ａの天板３ａと底板３ｂに連結して、金属シャーシー１６をインナーパック４に連結すると共に、金属シャーシー１６でもって上下のケースユニット３Ａを連結している。【選択図】図４
2007213941.tif 000002
【特許請求の範囲】
【請求項１】
複数の二次電池(1)を収納しているパック電池であって、
二次電池(1)をプラスチック製のインナーケース(3)に収納してインナーパック(4)とし、このインナーパック(4)の両側面を金属シャーシー(16)でカバーして補強し、さらに金属シャーシー(16)で補強されたインナーケース(3)をプラスチック製のアウターケース(5)に収納しており、
インナーケース(3)は側面プレート(3d)を分割して上下のケースユニット(3A)に分割しており、
金属シャーシー(16)は、インナーパック(4)の両側面をカバーする２枚の金属板で、断面形状をコ字状として上下縁にケースユニット(3A)の天板(3a)と底板(3b)に係止構造で連結される連結片(33)を突出して設けており、
金属シャーシー(16)の連結片(33)をケースユニット(3A)の天板(3a)と底板(3b)に連結して、金属シャーシー(16)をインナーパック(4)に連結すると共に、金属シャーシー(16)でもって上下のケースユニット(3A)を連結するようにしてなるパック電池。
【請求項２】
上下のケースユニット(3A)の天板(3a)と底板(3b)に、金属シャーシー(16)の連結片(33)を係止構造で連結する連結凸部(34)を設けており、金属シャーシー(16)の連結片(33)には、この連結凸部(34)を入れる連結孔(33A)を設けており、連結孔(33A)に連結凸部(34)を入れて、金属シャーシー(16)の連結片(33)をケースユニット(3A)の天板(3a)と底板(3b)に係止構造で連結している請求項１に記載されるパック電池。
【請求項３】
金属シャーシー(16)が挿入開口(16A)を有し、この挿入開口(16A)に入れられる突出部(3e)をインナーケース(3)の側面に設けており、インナーケース(3)の突出部(3e)を金属シャーシー(16)の挿入開口(16A)に入れてなる請求項１に記載されるパック電池。
【請求項４】
インナーケース(3)が、側面プレート(3d)の上下の中央部でケースユニット(3A)に分割している請求項１に記載されるパック電池。
【発明の詳細な説明】
【技術分野】
【０００１】
本発明は、主として多数の二次電池をケースに収納するものであって、屋外使用に最適なパック電池に関する。
【背景技術】
【０００２】
携帯電話や放送機器等の中継機の電源に使用されるパック電池は、商用電源が停電したときに中継機に電力を供給する。このような屋外使用のパック電池は、優れた耐久性と強度に加えて、広い温度範囲での動作が要求される。この種のパック電池は、たとえば、プラスチックケースに多数の二次電池と回路基板を収納したものである（特許文献１参照）。この構造のパック電池は、外部からの衝撃に充分な強度を実現することに加えて、防水構造として内部に水が浸入するのを防止する必要がある。この欠点を解消するために、アルミニウム等の金属を鋳造して密閉構造とするケースが開発されている。ただ、金属を鋳造したケースは、熱伝導に優れるので、寒冷地で使用するときには内蔵する二次電池が外気で冷却されて、温度が著しく低下し、電池性能が低下するばかりでなく、電池の寿命も短くする欠点がある。
【０００３】
本出願人はこの欠点を解消するパック電池として、図１と図２の分解斜視図に示す構造を開発した。（特許文献２参照）このパック電池は、多数の二次電池９１をプラスチック製のインナーケース９３に収納してインナーパック９４としている。インナーケース９３は、天板９３ａと底板９３ｂを分割して、左右に分割されたケースユニット９３Ａとしている。さらにインナーパック９４の両側面を金属シャーシー９１６でカバーして補強している。金属シャーシー９１６は、中央部をシャーシーホルダー９２８で連結している。シャーシーホルダー９２８は、インナーパック９４の天板９３ａと底板９３ｂの表面に配設している。金属シャーシー９１６で補強されたインナーケース９３をアウターケース９５に収納している。
【特許文献１】特開２００５−５６７２１号公報
【特許文献２】特願２００５−１９８０７７号
【発明の開示】
【発明が解決しようとする課題】
【０００４】
図１と図２に示すパック電池は、一対の金属シャーシー９１６をシャーシーホルダー９２８で連結して、これをインナーパック９３の天板９３ａと底板９３ｂの表面に配置するので、外形が大きくなると共に、一対の金属シャーシー９１６を充分な連結強度で連結するのが難しい欠点があった。外形が大きくなるのは、インナーパック９４の天板９３ａと底板９３ｂの表面にシャーシーホルダー９１６を配設しているので、アウターケース９５の内形を、シャーシーホルダー９１６を収納するように大きくするからである。また、一対の金属シャーシー９１６の連結強度を充分にできないのは、金属シャーシー９１６の中央部のみをシャーシーホルダー９２８で連結するからである。一対の金属シャーシー９１６は、多数のシャーシーホルダーで連結して強度を向上できる。ただ、シャーシーホルダー９２８は、充分な強度を実現するために、金属シャーシー９１６と同等の厚い金属板を使用するので、シャーシーホルダーの個数を多くすると、パック電池全体の重量が増加する欠点がある。
【０００５】
本発明は、さらにこのような欠点を解決することを目的に開発されたもので、本発明の大切な目的は、小型で軽量化しながらケースを強靭な構造にできるパック電池を提供することにある。
【課題を解決するための手段】
【０００６】
本発明のパック電池は、前述の目的を達成するために以下の構成を備える。
パック電池は、複数の二次電池１を収納している。パック電池は、二次電池１をプラスチック製のインナーケース３に収納してインナーパック４とし、このインナーパック４の両側面を金属シャーシー１６でカバーして補強し、さらに金属シャーシー１６で補強されたインナーケース３をプラスチック製のアウタース５に収納している。インナーケース３は、側面プレート３ｄを分割して上下のケースユニット３Ａに分割している。金属シャーシー１６は、インナーパック４の両側面をカバーする２枚の金属板で、断面形状をコ字状として上下縁にケースユニット３Ａの天板３ａと底板３ｂに係止構造で連結される連結片３３を突出して設けている。パック電池は、金属シャーシー１６の連結片３３をケースユニット３Ａの天板３ａと底板３ｂに連結して、金属シャーシー１６をインナーパック４に連結すると共に、金属シャーシー１６でもって上下のケースユニット３Ａを連結している。
【０００７】
本発明のパック電池は、上下のケースユニット３Ａの天板３ａと底板３ｂに、金属シャーシー１６の連結片３３を係止構造で連結する連結凸部３４を設けて、金属シャーシー１６の連結片３３に、この連結凸部３４を入れる連結孔３３Ａを設けることができる。このパック電池は、連結孔３３Ａに連結凸部３４を入れて、金属シャーシー１６の連結片３３をケースユニット３Ａの天板３ａと底板３ｂに係止構造で連結することができる。
【０００８】
本発明のパック電池は、金属シャーシー１６に挿入開口１６Ａを設けて、この挿入開口１６Ａに入れられる突出部３ｅをインナーケース３の側面に設けて、インナーケース３の突出部３ｅを金属シャーシー１６の挿入開口１６Ａに入れることができる。
【０００９】
本発明のパック電池は、インナーケース３を、側面プレート３ｄの上下の中央部でケースユニット３Ａに分割することができる。
【発明の効果】
【００１０】
本発明のパック電池は、小型で軽量化しながら、ケースを強靭な構造にできる特徴がある。それは、本発明のパック電池が、複数の二次電池をプラスチック製のインナーケースに収納してインナーパックとし、このインナーパックの両側面を金属シャーシーでカバーして補強し、さらに金属シャーシーで補強されたインナーケースをプラスチック製のアウターケースに収納すると共に、インナーケースを側面プレートでケースユニットに分割し、このケースユニットを連結するために、金属シャーシーは断面形状をコ字状として上下縁にケースユニットの天板と底板に係止構造で連結する連結片を設け、この連結片をケースユニットの天板と底板に連結して、金属シャーシーをインナーパックに連結すると共に、金属シャーシーでもって上下のケースユニットを連結し、金属シャーシーで連結されたインナーケースをアウターケースに収納しているからである。
【００１１】
また、本発明の請求項２のパック電池は、上下のケースユニットの天板と底板に、金属シャーシーの連結片を係止構造で連結する連結凸部を設け、金属シャーシーの連結片には、この連結凸部を入れる連結孔を設け、連結孔に連結凸部を入れて、金属シャーシーの連結片をケースユニットの天板と底板に係止構造で連結しているので、金属シャーシーとインナーパックとをしっかりと連結できる特徴がある。
【００１２】
さらに、本発明の請求項３のパック電池は、金属シャーシーに挿入開口を設けて、この挿入開口に入れられる突出部をインナーケースの側面に設け、インナーケースの突出部を金属シャーシーの挿入開口に入れているので、金属シャーシーで連結しているインナーパックをコンパクトにでき、全体をより小型で軽量化して強靭な構造にできる特徴がある。それは、インナーケースの側面プレートを厚く成形して、金属シャーシーで連結できるからである。
【００１３】
また、本発明の請求項４のパック電池は、インナーケースを、側面プレートの上下の中央部でケースユニットに分割しているので、ケースユニットを浅く成形できる。このため、プラスチックで成形されるケースユニットの側面プレートの抜き勾配を小さくして、側面プレートをより均一な肉厚にできる。
【発明を実施するための最良の形態】
【００１４】
以下、本発明の実施例を図面に基づいて説明する。ただし、以下に示す実施例は、本発明の技術思想を具体化するためのパック電池を例示するものであって、本発明はパック電池を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図３ないし図８に示すパック電池は、たとえば、電話の中継機等のように屋外に設置される電気機器の電源として使用される。したがって、低温から高温まで、たとえば−３０℃〜８０℃の外部温度で使用される。また、屋外用のパック電池は、優れた耐久性と強度も要求される。
【００１７】
図３ないし図８に示すパック電池は、インナーパック４と、インナーパック４を収納しているアウターケース５と、インナーパック４とアウターケース５との間に配設している金属シャーシー１６と、インナーパック４の外側に固定されて内蔵する二次電池１を加温するヒーター２７を備える。さらに、これ等の図に示すパック電池は、二次電池１の充放電とヒーター２７の通電を制御する回路基板を備える。回路基板は、インナーケース３に内蔵する第１の回路基板２と、インナーケース３の外側であって、インナーケース３とアウターケース５との間に配設している第２の回路基板６とに分離している。
【００１８】
インナーパック４は、複数の二次電池１と第１の回路基板２とを箱形のインナーケース３に収納している。インナーケース３はプラスチック製で、天板３ａと底板３ｂを分割することなく、側面プレート３ｄを中央で分割して、断面形状をコ字状とするケースユニット３Ａに分割している。この明細書で天板３ａと底板３ｂは図面に基づいて特定するものとし、図においてインナーケース３の上の板を天板３ａとして、下の板を底板３ｂとしている。分割して成形された一対のケースユニット３Ａは、連結されて内部に二次電池１と第１の回路基板２を収納する箱形としている。図４ないし図８に示すインナーケース３は、側面プレート３ｄの中央で分割して、上下のケースユニット３Ａに分割している。上のケースユニット３Ａは、天板３ａの両側に、分割された側面プレート３ｄの上部を一体的に成形している。下のケースユニット３Ａは、底板３ｂの両側に、分割された側面プレート３ｄの下部を一体的に成形している。分割してプラスチックで成形された一対のケースユニット３Ａは、分割された側面プレート３ｄの端縁を互いに当接させて連結される。
【００１９】
図のパック電池は、分割されたケースユニット３Ａを一対の金属シャーシー１６で連結し、また、一対の金属シャーシー１６をケースユニット３Ａで連結している。この金属シャーシー１６は、アウターケース５とインナーパック４との間に設けられ、インナーパック４の両側面をカバーしてケースを補強している。金属シャーシー１６は、２枚の金属板からなる。この金属シャーシー１６は、金属板を折曲、プレス加工して製作される。金属シャーシー１６は、インナーパック４とアウターケース５との間にあって、インナーパック４を外側から補強し、またアウターケース５を内側から補強する。
【００２０】
金属シャーシー１６は、インナーパック４の両側面をカバーする２枚の金属板であって、断面形状をコ字状として、上下縁にケースユニット３Ａの天板３ａと底板３ｂに係止構造で連結される連結片３３を突出して設けている。各々の金属シャーシー１６は、上縁の連結片３３を、上のケースユニット３Ａの天板３ａに係止構造で連結し、下縁の連結片３３を下のケースユニット３Ａの底板３ｂに係止構造で連結する。このように、一対の金属シャーシー１６の連結片３３を、上下のケースユニット３Ａの天板３ａと底板３ｂに連結すると、一対の金属シャーシー１６は、天板３ａで上縁を、底板３ｂで下縁を連結する。金属シャーシー１６は、上縁と下縁に、それぞれ複数の連結片３３を設けて、インナーケース３の天板３ａと底板３ｂにしっかりと連結される。図の金属シャーシー１６は、上縁と下縁の各々３カ所に連結片３３を設けて、インナーケース３の天板３ａと底板３ｂとに連結している。
【００２１】
図のパック電池は、金属シャーシー１６の連結片３３とインナーケース３との係止構造を、インナーケース３の天板３ａと底板３ｂに設けた連結凸部３４と、金属シャーシー１６の連結片３３に設けた連結孔３３Ａで実現する。この係止構造は、連結片３３の連結孔３３Ａに連結凸部３４を入れて、金属シャーシー１６の連結片３３をインナーケース３の天板３ａと底板３ｂに連結する。ただし、本発明のパック電池は、金属シャーシーの連結片とインナーケースとの係止構造をこの形状には特定しない。たとえば、図示しないが、金属シャーシーの連結片に、インナーケースの天板と底板の表面に向かって突出する連結凸部を設け、この連結凸部を入れる連結凹凸や連結孔をインナーケースの天板と底板に設けて、連結片をインナーケースに係止構造で連結できるからである。
【００２２】
金属シャーシー１６は、分割して成形している上下のケースユニット３Ａを連結し、外側にはアウターケース５を固定している。金属シャーシー１６は、インナーパック４やアウターケース５を固定する止ネジ３６をねじ込むネジ孔１８を設けており、ここに止ネジ３６をねじ込んで、アウターケース５を固定している。さらに、金属シャーシー１６には、コネクター１９等も固定している。
【００２３】
図４に示すパック電池は、金属シャーシー１６に挿入開口１６Ａを設け、この挿入開口１６Ａに入れられる突出部３ｅをインナーパック４の表面に設けている。図の金属シャーシー１６は、インナーパック４の側面に対向する部分に挿入開口１６Ａを開口している。インナーパック４は、側面に挿入開口１６Ａに挿入される突出部３ｅを設けている。インナーパック４は、インナーケース３の側面プレート３ｄの中央部分であって、外周縁部を除く部分に突出部３ｅを設けている。この構造は、金属シャーシー１６の挿入開口１６Ａにインナーパック４の突出部３ｅを挿入できるので、金属シャーシー１６で補強しながら、外形を小さくしてパック電池の横幅を小さくできる。
【００２４】
金属シャーシー１６は、発熱部品を固定して、発熱部品の放熱板に併用している。発熱部品は、大電流を流すダイオードやＦＥＴ等の大電力電子部品である。これ等の大電力電子部品は、電池と直列に接続されて電池の負荷電流や充電電流を流す電子部品である。
【００２５】
パック電池は、第１の回路基板２と第２の回路基板６を内蔵している。第１の回路基板２はインナーケース３の内部に、第２の回路基板６はインナーケース３の外側でアウターケース５の内側に配設している。第１の回路基板２は、大電流を流して発熱するハイパワー電子部品を備える電子回路を実装しない。たとえば、第１の回路基板２は、各々の電池電圧や電池温度を検出する回路を実装している。大電流を流して発熱するハイパワー電子部品やこれを備える電子回路は第２の回路基板６に実装される。第１の回路基板２はリード線７とリード板８を介して二次電池１の電極に接続され、第２の回路基板６は、リード線（図示せず）を介して第１の回路基板２に接続され、さらに太いリード線１０を介して二次電池１の出力に接続される。
【００２６】
第１の回路基板２は、インナーケース３の内面、すなわち側面プレート３ｄと平行な姿勢で、側面プレート３ｄの内面と二次電池１の間に配設される。図のパック電池は、第１の回路基板２を第１の基板ホルダー１１に入れてインナーケース３に収納している。第１の基板ホルダー１１は、プラスチックでもって周壁のある箱形に成形したものである。第１の基板ホルダー１１は、周壁の内部に第１の回路基板２を入れ、さらに周壁の内側に絶縁樹脂（図示せず）を充填して、絶縁樹脂で第１の回路基板２を被覆している。この構造は、第１の回路基板２を絶縁して、インナーケース３内に配設できる。このため、インナーケース３内に二次電池１から電解液が漏れ、あるいはガスが放出されても、電解液やガスから回路基板を絶縁して保護できる。
【００２７】
インナーケース３の内部に収納される第１の回路基板２は、インナーケース３で保護される。さらに第１の基板ホルダー１１に入れてインナーケース３に収納する第１の回路基板２は、第１の基板ホルダー１１とインナーケース３の両方で保護される。この構造は、第１の回路基板２と第１の基板ホルダー１１を薄く、軽くできる。それは、これ等に強い強度が要求されないからである。
【００２８】
図のインナーパック４は、第１の基板ホルダー１１の底面側を二次電池１側に配置する。いいかえると第１の基板ホルダー１１の開口部を、インナーケース３の側面プレート３ｄ側に配置する。このインナーパック４は、第１の回路基板２と二次電池１との間に第１の基板ホルダー１１の底板を配置する。インナーパックは、この図とは反対に、第１の基板ホルダーの底板をインナーケースの側面プレートに対向して配置することができる。このインナーパックは、第１の回路基板に固定している電子部品を、二次電池の間にできる谷間に突出するように配置して、第１の回路基板を二次電池に接近し、アウターケースの外形を小さくできる。また、第１の回路基板を第１の基板ホルダーに収納しないで、表面に固定している電子部品を二次電池の間にできる谷間に配置することもできる。さらに、第１の基板ホルダーの底に貫通孔を設け、この貫通孔に第１の回路基板に固定している電子部品を突出させて、二次電池の間の谷間に電子部品を配置することもできる。
【００２９】
第１の回路基板２は、リード線７とリード板８を介して二次電池１に連結される。いいかえると、複数の二次電池１はリード板８で互いに連結され、このリード板８を、リード線７を介して第１の回路基板２に連結している。第１の回路基板２は第１の基板ホルダー１１に固定しているので、第１の回路基板２と第１の基板ホルダー１１の両方がリード線７とリード板８を介して二次電池１に連結される。
【００３０】
二次電池１は、円筒型電池のリチウムイオン二次電池である。ただし、二次電池には、円筒型電池に代わって角型電池も使用できる。また、二次電池はリチウムイオン二次電池に特定せず、ニッケル水素電池やニッケルカドミウム電池等、他の全ての二次電池も使用できる。図４ないし図７のパック電池は、複数の二次電池１を互いに平行な姿勢とし、さらに第１の回路基板２の表面と平行な面内に並べ、さらに、両端面を同一面に位置させる姿勢として、３列に並べてインナーケース３に収納している。３列に配列される二次電池１は、隣の列の二次電池１を谷間に配置している。さらに、二次電池１の間には絶縁材からなるスペーサー１２を配設している。図のインナーパック４は、二次電池１を３列に配置しているが、インナーパックには、１〜２列に二次電池を並べ、あるいは４列以上に並べて収納することもできる。
【００３１】
二次電池１は、端面にリード板８を接続している。リード板８は、二次電池１を並列に接続して直列に接続する。図のリード板８は、６本の二次電池１の電極面にスポット溶接等の方法で接続している。このインナーパック４は、３本の二次電池１を並列に接続して１ブロックとし、並列接続された１４個のブロックを直列に接続している。
【００３２】
第２の回路基板６は、インナーパック４の外側であって、アウターケース５の内側に配置される。第２の回路基板６は、プラスチック製の第２の基板ホルダー１３の内部に固定される。第２の基板ホルダー１３はインナーパック４の上面に固定される。第２の基板ホルダー１３は下方を開口する四角形の箱形で、内部に絶縁樹脂（図示せず）を充填して、絶縁樹脂で第２の回路基板６を被覆している。第２の回路基板６は、リード線（図示せず）を介して第１の回路基板２や二次電池１に接続される。
【００３３】
図のパック電池は、インナーパック４の上面と下面にヒーター２７を固定している。ヒーター２７は、内部にニクロム線等の発熱線を有する面状ヒーター、あるいはＰＴＣ等の面状ヒーターである。ヒーター２７は、外気温度が低下して二次電池１の温度が最低動作温度よりも低くなると、通電されて二次電池１を設定温度まで加温して正常に使用できる温度に保持する。たとえば、屋外に設置される中継機等の電源として使用されるパック電池は、二次電池１の温度や周囲温度を温度センサー（図示せず）で検出して、ヒーター２７の通電を制御する制御回路を備える。この制御回路は、回路基板に実装される。制御回路は、電池温度が最低動作温度よりも低くなり、あるいは周囲温度が予め設定している最低温度よりも低くなると、ヒーター２７に通電してインナーパック４を加温する。ヒーター２７に通電する電力は、パック電池に内蔵する二次電池１から供給され、あるいはパック電池をフローティング充電する商用電源から供給される。制御回路は、ヒーター２７の供給電力をコントロールして、二次電池１の温度を設定温度に保持する。
【００３４】
図３と図４に示すアウターケース５は、長さ方向に直交する面を分割ライン１５として、一対の筒ケース５Ａに分割してプラスチックで成形している。図のアウターケース５は、全体を縦に細長い四角筒状としている。一対の筒ケース５Ａは、一端を端プレート部５ｃで閉塞して他端を開口部５ｆとする形状としている。このアウターケース５は、天板５ａと底板５ｂと側面プレート５ｄを中央部で両端に２分割して、一端を端プレート部５ｃで閉塞する角筒状にプラスチックで成形している。このアウターケース５は、両端に２分割するので分割ライン１５がアウターケース５の長手方向に直交する方向となって、最短距離となる。分割された一対の筒ケース５Ａは、一端を閉塞する端プレート部５ｃを貫通する止ネジ３６で金属シャーシー１６に固定される。金属シャーシー１６に固定される一対の筒ケース５Ａは、開口部５ｆの周縁を密閉状態に連結している。一対の筒ケース５Ａは、図５の断面図に示すように、開口縁をラップさせ、さらにラップ部にパッキン２０を挟着して、密閉状態に連結している。図５の筒ケース５Ａは、開口縁に嵌合段差部２３を設けている。嵌合段差部２３の当接面にゴム状弾性体のパッキン２０を挟着して、密閉構造に連結している。嵌合段差部２３は、互いに嵌合できるように、一方の当接面に凹部２４を、他方の当接面にはこの凹部２４に案内される凸条２５を設けた形状として、互いにラップする構造としている。嵌合段差部２３は、当接面の凸条２５を凹部２４に入れ、ラップ部の間にパッキン２０を挟着して、防水構造に連結される。さらに、図のアウターケース５は、開口部５ｆの外側を密着カバー２６で被覆している。密着カバー２６は、筒ケース５Ａの分割ライン１５の外側に密着して、分割ライン１５を防水する。また、密着カバー２６は、連結部の強度も補強する。密着カバー２６は、プラスチックシートで、アウターケース５を挿入して収縮、密着される。
【００３５】
図３と図４のアウターケース５は、図において左下に位置する筒ケース５Ａの端プレート部５ｃに、金属プレート３７を積層している。この筒ケース５Ａは、金属プレート３７を貫通する止ネジ３６で、端プレート部５ｃを金属シャーシー１６に固定している。金属プレート３７を積層する端プレート部５ｃは、出力端子であるコネクタ１９の開口穴５ｅを設けている。
【００３６】
プラスチック製の筒ケース５Ａは、端プレート部５ｃから開口部５ｆに向かって内側の断面形状を大きくするテーパー状に成形している。さらに、アウターケースである筒ケース５Ａの表面には、分割ライン１５と平行に複数列の凸条３８を一体的に成形して設けている。この構造のアウターケース５は、表面の凸条３８を係止して、成形された筒ケース５Ａを金型からスムーズに脱型できる。とくに、凸条３８を係止して脱型できる筒ケース５Ａは、引っ張って脱型するときの破損を防止でき、また、テーパー状に成形しているテーパー角、すなわち勾配を極減まで抑えることができる。このため、端プレート部５ｃの面積と開口部５ｆの開口面積との差を少なくして、アウターケース５内のスペースを有効に利用できる。また、表面に設けた凸条３８はアウターケース５の反りや引け等の成形不良対策にも効果がある。
【図面の簡単な説明】
【００３７】
【図１】本出願人が先に出願したパック電池の分解斜視図である。
【図２】図１に示すパック電池のインナーパックの分解斜視図である。
【図３】本発明の一実施例にかかるパック電池の斜視図である。
【図４】図３に示すパック電池の分解斜視図である。
【図５】図３に示すパック電池の一部拡大水平断面図である。
【図６】図３に示すパック電池の一部拡大垂直縦断面図である。
【図７】図３に示すパック電池の一部拡大垂直横断面図である。
【図８】インナーパックの斜視図である。
【符号の説明】
【００３８】
１…二次電池
２…第１の回路基板
３…インナーケース              ３Ａ…ケースユニット
３ａ…天板
３ｂ…底板
３ｃ…端プレート部
３ｄ…側面プレート
３ｅ…突出部
４…インナーパック
５…アウターケース              ５Ａ…筒ケース
５ａ…天板
５ｂ…底板
５ｃ…端プレート部
５ｄ…側面プレート
５ｅ…開口穴
５ｆ…開口部
６…第２の回路基板
７…リード線
８…リード板
１０…太いリード線
１１…第１の基板ホルダー
１２…スペーサー
１３…第２の基板ホルダー
１５…分割ライン
１６…金属シャーシー            １６Ａ…挿入開口
１８…ネジ孔
１９…コネクター
２０…パッキン
２３…嵌合段差部
２４…凹部
２５…凸条
２６…密着カバー
２７…ヒーター
３３…連結片                    ３３Ａ…連結孔
３４…連結凸部
３６…止ネジ
３７…金属プレート
３８…凸条
９１…二次電池
９３…インナーケース            ９３Ａ…ケースユニット
９３ａ…天板
９３ｂ…底板
９４…インナーパック
９５…アウターケース
９１６…金属シャーシー
９２８…シャーシーホルダー
【図１】
2007213941.tif 000003
【図２】
2007213941.tif 000004
【図３】
2007213941.tif 000005
【図４】
2007213941.tif 000006
【図５】
2007213941.tif 000007
【図６】
2007213941.tif 000008
【図７】
2007213941.tif 000009
【図８】
2007213941.tif 000010